(57)【特許請求の範囲】
【請求項１】
複数の拠点からのファクシミリによるイメージ情報を受信する受信手段と、
前記イメージ情報のそれぞれにテキスト情報を付与するテキスト情報付与手段と、
前記イメージ情報のそれぞれに災害分析情報を付与する災害分析情報付与手段と、
前記イメージ情報のそれぞれに前記テキスト情報及び前記災害分析情報を付与した複数の災害情報データを蓄積する災害情報データファイルと、
地図データを格納する地図データファイルと、
前記災害情報データファイルの災害情報データを検索する検索処理手段と、
前記検索処理手段により検索した前記災害情報データを出力する出力手段と
を備えた情報管理システムを用いて、複数の拠点からファクシミリによるイメージ情報を収集して管理する災害情報収集管理方法であって、
前記テキスト情報として、前記受信手段により受信したイメージ情報の発信場所の情報と受信日時の情報を前記テキスト情報付与手段で前記イメージ情報に付与し、
前記災害分析情報として、前記受信手段により受信したイメージ情報から分析される災害の発生場所の情報、及び、少なくとも災害の種類、災害のレベル、災害の関連の各情報を有する災害事象の情報を前記災害分析情報付与手段で前記イメージ情報に付与し、
前記災害情報データとして、前記テキスト情報と前記災害分析情報とを前記イメージ情報に付与したデータを１単位として前記発信場所や発生場所が同一の複数の前記災害情報データを時間軸で前記災害情報データファイルに蓄積し、
前記発信場所や発生場所を含む地域、時間帯、災害事象を検索キーとして検索処理手段で前記災害情報データファイルの災害情報データを検索し、
前記出力手段により前記地図データファイルから前記地域の地図データを読み出して前記検索処理手段で検索した災害情報データの数量に応じた高さのアイコンを地図上の前記発信場所や発生場所に貼り付けて出力できるようにしたことを特徴とする災害情報収集管理方法。
【請求項２】
前記出力手段により、前記アイコンとして、前記地図上の前記発信場所や発生場所に複数の災害情報データの数量に応じた高さのファイルやスタックのアイコンにより出力することを特徴とする請求項１記載の災害情報収集管理方法。
【請求項３】
前記出力手段により、前記アイコンの選択により選択された場所の複数の災害情報データをページメクリの操作モードにより出力し、イメージの選択にしたがい前記イメージ情報を出力することを特徴とする請求項２記載の災害情報収集管理方法。
【発明の詳細な説明】
【技術分野】
【０００１】
本発明は、複数の拠点からファクシミリによるイメージ情報を収集して管理する災害情報収集管理方法に関する。
【背景技術】
【０００２】
広域に災害情報を監視するものとして、災害規模が多国間に及ぶような災害情報を相互に提供できるようにした国間の災害情報提供システム（例えば、特許文献１参照）、防犯防災センサの異常情報を中央のサーバを介して建物の近隣の契約者にメッセージとして送信する地域相互防犯防災システム（例えば、特許文献２参照）などの提案がある。
【０００３】
各自治体等から被災地の災害情報を中央官庁や県本部が広域的に収集し監視するシステムを想定した場合、ファクシミリは、迅速な災害情報の伝達手段として便利である。例えばメールのような場合には、キー入力により災害情報を文章にして送信することが必要であるため、簡便かつ迅速に災害情報を編集して送信する手段としてはある面でファクシミリより劣っている。ファクシミリは、例えば地図を含む所定の送信用シートを何種類か用意しておくと、そこにマーク等を付け、手書き情報を少し加えるだけでも的確な災害情報を送信でき、より簡便かつ迅速な災害情報の編集、送信が可能になる。
【特許文献１】特開２００３−３６３３３号公報
【特許文献２】特開２００４−２７２７６３号公報
【発明の開示】
【発明が解決しようとする課題】
【０００４】
しかし、ファクシミリによる災害情報は、紙を媒体としてイメージ情報で管理され、情報量が多くなると受信した紙の山になってしまう。地域ごとに、災害の事象やレベル毎に整理（スタック）して管理しないと、的確に災害情報を把握することが難しくなる。例えば各地から多数の災害情報がファクシミリにより送信されてきて、紙の山ができてしまうと、そこから緊急性の高いもの、相互に近いもの、関連が深いもの等を逐一判別して整理し抽出するには、多くの時間や労力が必要になり迅速な対応ができない。したがって、地震による災害、台風による水害や地盤崩落などのように災害が広域に及ぶ場合、それらのファクシミリ受信したイメージ情報による災害情報を関連付けて整理し、さらに緊急度に応じて管理を行うことは難しいという問題がある。
【課題を解決するための手段】
【０００５】
本発明は、上記課題を解決するものであって、ファクシミリによるイメージ情報からなる災害情報を収集して分類、管理、整理を効率よく行えるようにするものである。
【０００６】
そのために本発明は、複数の拠点からのファクシミリによるイメージ情報を受信する受信手段と、前記イメージ情報のそれぞれにテキスト情報を付与するテキスト情報付与手段と、前記イメージ情報のそれぞれに災害分析情報を付与する災害分析情報付与手段と、前記イメージ情報のそれぞれに前記テキスト情報及び前記災害分析情報を付与した複数の災害情報データを蓄積する災害情報データファイルと、地図データを格納する地図データファイルと、前記災害情報データファイルの災害情報データを検索する検索処理手段と、前記検索処理手段により検索した前記災害情報データを出力する出力手段とを備えた情報管理システムを用いて、複数の拠点からファクシミリによるイメージ情報を収集して管理する災害情報収集管理方法であって、前記テキスト情報として、前記受信手段により受信したイメージ情報の発信場所の情報と受信日時の情報を前記テキスト情報付与手段で前記イメージ情報に付与し、前記災害分析情報として、前記受信手段により受信したイメージ情報から分析される災害の発生場所の情報、及び、少なくとも災害の種類、災害のレベル、災害の関連の各情報を有する災害事象の情報を前記災害分析情報付与手段で前記イメージ情報に付与し、前記災害情報データとして、前記テキスト情報と前記災害分析情報とを前記イメージ情報に付与したデータを１単位として前記発信場所や発生場所が同一の複数の前記災害情報データを時間軸で前記災害情報データファイルに蓄積し、前記発信場所や発生場所を含む地域、時間帯、災害事象を検索キーとして検索処理手段で前記災害情報データファイルの災害情報データを検索し、前記出力手段により前記地図データファイルから前記地域の地図データを読み出して前記検索処理手段で検索した災害情報データの数量に応じた高さのアイコンを地図上の前記発信場所や発生場所に貼り付けて出力できるようにしたことを特徴とする。
【０００７】
さらに、前記出力手段により、前記アイコンとして、前記地図上の前記発信場所や発生場所に複数の災害情報データの数量に応じた高さのファイルやスタックのアイコンにより出力することを特徴とし、前記出力手段により、前記アイコンの選択により選択された場所の複数の災害情報データをページメクリの操作モードにより出力し、イメージの選択にしたがい前記イメージ情報を出力することを特徴とする。
【発明の効果】
【０００８】
本発明によれば、ファクシミリにより受信したイメージ情報に機械的に付与することができる場所・時間情報と専門的な知識と経験に基づき付与しなければないない分析・判断情報を分けることにより、場所・時間情報と分析・判断情報をイメージ情報に付与した災害情報データを無駄なく効率よく生成し蓄積することができる。したがって、その蓄積した災害情報データの場所・時間情報と分析・判断情報から災害情報の検索、整理、関係付け、分類を行い、災害情報をテキスト情報により効率よく監視することができる。しかも、必要に応じて原始のイメージ情報を確認することもできるので、情報も正確に伝達することができる。したがって、広域でも迅速かつ効率よく多くの災害情報を管理し、緊急性に応じた防災対策を実現できる。
【発明を実施するための最良の形態】
【０００９】
以下、本発明の実施の形態を図面を参照しつつ説明する。図１は本発明に係る災害情報収集管理方法の実施の形態を説明する図、図２は災害情報データファイルの構成例を示す図である。図中、１はファックス受信部、２はテキスト情報付与部、３は災害分析情報付与部、４は災害情報データ、１１は災害情報データファイル、１２は地図データファイル、１３はデータ検索処理部、１４は検索指定部、１５は表示編集処理部、１６は表示部を示す。
【００１０】
図１において、ファックス受信部１は、各地区、地域のファックスから災害情報としてイメージ情報を受信するものであり、テキスト情報付与部２は、ファックス受信部１で受信したイメージ情報からその場所（発信場所、災害発生場所）の情報、及び時間（日時）をテキスト情報として付与するものである。このテキスト情報は、発信元の電話番号を認識することにより場所（位置）の情報（例えば電話番号や住所、Ｘ，Ｙ座標等）を、また、カレンダー、時計による受信日時の認識により時間をそれぞれ付与し、また、専任のオペレータがファックス受信時にそのイメージ情報から電話番号や発信者名を機械的に読み取ってキー入力することによりテキスト情報として付与してもよい。このテキスト情報の付与は、特に専門性を有しない単純作業により行うことができる。
【００１１】
災害分析情報付与部３は、災害情報を分析する専門的な知識、経験を有する者によりファックス受信したイメージ情報から災害情報を分析し、その正確な発生場所や災害の事象などを災害分析情報として付与するものである。災害の事象には、例えば種類、レベル、関連、付加の各情報があり、種類情報は、例えば災害が火災、家屋倒壊、地盤崩落、水害などの情報であり、レベル情報は、重要度、緊急度などのランク、それぞれの災害の規模、人命に関わるか、救援体制が必要かなどの情報であり、関連情報は、例えば火災であれば火元、延焼などの情報であり、付加情報は、判断情報、詳細情報、参考情報、認証情報の有無など、例えば地震、河川の増水、台風などの情報である。災害情報データ４は、ファックス受信したイメージ情報にテキスト情報付与部２でテキスト情報を付与し、さらに災害分析情報付与部３で災害分析情報を付与して１単位とするデータである。
【００１２】
災害情報データファイル１１は、各地区、地域からファックス受信したイメージ情報にテキスト情報及び災害分析情報を付与した災害情報データ、例えば図２に示すようなＩＤ、場所、時間、事象、イメージ情報からなる災害情報データを格納したファイルであり、地図データファイル１２は、各災害情報データを具体的に災害発生場所に対応付けるための地図データを格納したファイルである。
【００１３】
データ検索処理部１３は、災害情報データファイル１１及び地図データファイル１２から、地域や時間帯、事象の特定や範囲などを検索キーとして、指定された検索キーに基づいて災害情報データ及び地図データを検索して取得するものであり、その検索キーを指定するのが検索指定部１４である。したがって、例えば東海地方、房総半島、神奈川県、中央区、横浜市などの地域が指定されると、その地域の地図データ、災害情報データが検索される。そして、その中から日時が指定されると時間情報からその日時の災害情報データが検索され、時間帯や期間が指定されると、その間の災害情報データが検索され、また、事象の種類として火災が指定されると、災害情報データのうち火災のものが検索され、関連情報として地震が指定されると、地震に伴って発生した火災や家屋倒壊、地盤崩落などの災害情報データが検索される。時間が指定されず、場所が指定されると、その場所における過去の全ての災害情報データが検索され、災害の履歴を取得することができる。
【００１４】
表示編集処理部１５は、データ検索処理部１３で検索された地図データ及び災害情報データに基づき地図上の各場所に対応して災害情報を編集し表示部１６の画面にマークやアイコン等を使って表示する。このとき、各位置において複数の災害情報が存在する場合には、災害情報の数量に応じた高さのファイルやスタックのイメージを使って表示し、その位置を表示画面上でクリックすることにより、検索指定部１４よりその位置の災害情報を抽出し、ページメクリの操作モードで各災害情報を表示する。各災害情報は、テキスト情報及び災害分析情報により内容を把握し整理することができ、さらに選択によりファックス受信した原始のイメージ情報による確認を行うこともできる。
【００１５】
図３はネットワークで接続した災害情報収集管理システムの構成概要の１例を示す図、図４は地図上に災害情報を貼り付けた例を示す図、図５は災害情報の検索処理の実施の形態を説明する図である。図中、２１−１〜２１−Ｎは拠点端末、２２は通信回線網、２３は情報処理センタ、２４は防災センタ、２５はデータファイル、３１は地図、３２〜３６は災害情報群を示す。
【００１６】
図３において、拠点端末２１−１〜２１−Ｎは、自治体などの各地区、地域の災害情報を発信するためのファクシミリを有する端末であり、これらと通信回線網２２で接続される情報処理センタ２３は、各拠点端末２１−１〜２１−Ｎからファクシミリにより災害情報としてイメージ情報を受信し、そのイメージ情報にテキスト情報及び災害分析情報を付与して災害情報データとして防災センタ２４に転送するものである。防災センタ２４は、中央官庁や県本部に設置され、各自治体等から被災地の災害情報を広域的に収集し監視するものである。防災センタ２４は、各拠点端末２１−１〜２１−Ｎからファクシミリにより災害情報としてイメージ情報を直接受信するのではなく、情報処理センタ２３でテキスト情報、災害分析情報、イメージ情報を単位として転送されてきた災害情報データを地図データとともにデータファイル２５に格納し管理している。つまり、情報処理センタ２３は、図１（Ａ）に示す構成に基づく処理を行い、防災センタ２４は、図１（Ｂ）に示す構成に基づく処理を行っている。
【００１７】
先に説明したようにデータファイル２５に格納し管理している災害情報データは、その災害の発生位置、あるいは少なくともその災害の発生を通報する拠点端末２１−１〜２１−Ｎの位置、災害の発生時間（日時）、災害の内容に関する事象の情報をイメージ情報とは別にテキストで持っている。したがって、これらテキストによる情報を処理することにより、各災害情報データは、地図データにより描画される地図上に貼り付けることができる。例えば位置に着目すると、同位置には時間軸で複数の災害情報データを持ち、防災センタ２４では、図４に示すように地図３１のそれぞれの位置に時間軸で蓄積された災害情報群３２〜３６をその情報量に応じた高さで貼り付けて表示することにより、地図上から災害情報の量、他との関係で遠いか近いかなどの関連を評価し、また、時間軸での履歴による防災対策のための災害情報を提供することができる。
【００１８】
次に、防災センタ２５によりデータファイル２５に格納された地図データ及び災害情報データからの災害情報の検索処理の例について図５を参照しつつ説明する。災害情報の検索処理では、例えば図５に示すようにまず、１乃至複数の地域の指定、検索した時間帯、事象範囲の指定を行うことにより（ステップＳ１１〜Ｓ１３）、指定地域の地図データをデータファイル２５から検索して取得し（ステップＳ１４）、さらに地域、時間帯、事象範囲で指定対象の災害情報データをデータファイル２５から検索して取得する（ステップＳ１５）。しかる後、これら取得した地図データ及び災害情報データに基づき地図上に災害情報ファイルのアイコンを、例えば図４に示すように表示する（ステップＳ１６）。
【００１９】
そして、地図上の各位置に貼り付け表示した災害情報群のアイコンがクリックされるか否かを検出し（ステップＳ１７）、アイコンがクリックされるとそのアイコンの災害情報をページ形式で表示する（ステップＳ１８）。さらにメクリ指示の検出を行い（ステップＳ１９）、メクリ指示があると、災害情報の各ページをメクリ操作モードで表示する（ステップＳ２０）。災害情報のページメクリ操作においてはイメージ選択の有無の検出を行い（ステップＳ２１）、イメージ選択があるとその災害情報のイメージ情報を表示する（ステップＳ２２）。メクリ指示、イメージ選択がない場合、また、イメージ表示した後は、ステップＳ１７の処理に戻って同じ処理を繰り返し実行し、アイコンのクリックがない場合には、検索終了か否かを判断する（ステップＳ２３）。ここで検索終了でない場合には、さらにステップＳ１１の処理に戻って検索キーの再指定を行い、同様の処理を繰り返し実行する。
【００２０】
なお、本発明は、上記実施の形態に限定されるものではなく、種々の変形が可能である。例えば上記実施の形態では、ファクシミリによる災害情報の収集管理として説明したが、メールによる災害情報の収集管理と併用してもよい。メールの場合には、メールアドレスとその受信時間で場所・時間情報は直接抽出できるので、専門的な知識、経験に基づく分析、判断を行う部署を特に設ければよい。また、場所・時間情報と分析・判断情報をイメージ情報に付与した災害情報データを生成する部署は、複数配置され、情報量に応じて分散させるようにしてもよいし、図３で説明した情報処理センタ、防災センタは同一の場所にあってもよいことはいうまでもない。さらに、場所・時間情報を付与する部署と分析・判断情報を付与する部署とを別々に配設してもよいし、１部署にまとめて配設してもよい。
【図面の簡単な説明】
【００２１】
【図１】本発明に係る災害情報収集管理方法の実施の形態を説明する図である。
【図２】災害情報データファイルの構成例を示す図である。
【図３】ネットワークで接続した災害情報収集管理システムの構成概要の１例を示す図である。
【図４】地図上に災害情報を貼り付けた例を示す図である。
【図５】災害情報の検索処理の実施の形態を説明する図である。
【符号の説明】
【００２２】
１…ファックス受信部、２…テキスト情報付与部、３…災害分析情報付与部、４…災害情報データ、１１…災害情報データファイル、１２…地図データファイル、１３…データ検索処理部、１４…検索指定部、１５…表示編集処理部、１６…表示部
【図１】
0004649669.tif 000002
【図２】
0004649669.tif 000003
【図３】
0004649669.tif 000004
【図４】
0004649669.tif 000005
【図５】
0004649669.tif 000006